(57)【要約】【課題】  非常信号を確実にＯＦＦすることのできる信頼性の高い非常用スイッチ装置を備えた防災機器を提供する。【解決手段】  非常信号を出力する非常用スイッチ４０と、この非常用スイッチ４０を操作する非常用押しボタン部３１とを有する防災機器において、非常信号をＯＦＦさせる復旧用スイッチ４１とこの復旧用スイッチ４１を操作する復旧用押しボタン部３２とを設けた。  また、上記の非常用押しボタン部３１と復旧用押しボタン部３２とを一体に構成して押しボタン３０を形成した。【選択図】図４
2005235602.tif 000002
【特許請求の範囲】
【請求項１】
非常信号を出力する非常用スイッチと、該非常用スイッチを操作する非常用押しボタン部とを有する防災機器において、
前記非常信号をＯＦＦさせる復旧用スイッチと、該復旧用スイッチを操作する復旧用押しボタン部とを設けたことを特徴とする防災機器。
【請求項２】
前記非常用押しボタン部と復旧用押しボタン部とを一体に構成して押しボタンを形成し、該押しボタンをその長手方向のほぼ中央部を支持する支持手段によって揺動するシーソー型としたことを特徴とする請求項１記載の防災機器。
【請求項３】
本体と前記復旧用押しボタン部との間に、該復旧用押しボタン部を復帰させる復帰手段を設けたことを特徴とする請求項１又は２に記載の防災機器。
【発明の詳細な説明】
【技術分野】
【０００１】
本発明は、例えば、集合住宅の各住戸毎に設置される住宅情報盤などの防災機器に係り、さらに詳しくは、その非常用スイッチ装置に関するものである。
【背景技術】
【０００２】
例えば、集合住宅の各住戸に設置される住宅情報盤には、泥棒の侵入や病気、怪我などの非常の際に押される押し釦式の非常用スイッチが設けられており、押し釦を押すことにより非常用スイッチがＯＮして非常信号を出力し、管理員に当該住戸内で非常事態が発生したことを通報するようになっている。
【０００３】
従来のこの種の非常用スイッチに、ほぼ中央部が軸支されたいわゆるシーソ型のホゴ板を有し、非常の際にこのホゴ板の一方の側を押すことにより釦（スイッチ）をＯＮして非常信号を出力し、また、ホゴ板の他方の側を押すことにより元の状態に戻り、スイッチをＯＦＦするようにした非常用警報押釦がある（例えば、特許文献１参照）。
【特許文献１】実公平４−４８０３６号公報（１−２頁、第１図、第２図）
【発明の開示】
【発明が解決しようとする課題】
【０００４】
特許文献１の非常用警報押釦は、１個の非常用スイッチをホゴ板で押すか、押さないかでＯＮ−ＯＦＦするようにしている。したがって、非常信号を出力するために、ホゴ板でスイッチを押し続ける構成をとっている。このため、ストロークの短いスイッチを使用すると、スイッチを押し続けた状態が継続することにより、スイッチに過度の力がかかってスイッチが破損してしまうという問題があった。
【０００５】
本発明は、上記の課題を解決するためになされたもので、非常信号がＯＦＦしたことを通報する復旧用スイッチを別に設けることにより、非常用スイッチを押し続ける必要をなくした。こうして、スイッチに過度の力が継続してかかるのを防止してスイッチが破損することのない信頼性の高い非常用スイッチ装置を備えた防災機器を提供することを目的としたものである。
【課題を解決するための手段】
【０００６】
本発明は、非常信号を出力する非常用スイッチと、該非常用スイッチを操作する非常用押しボタン部とを有する防災機器において、前記非常信号をＯＦＦさせる復旧用スイッチと、該復旧用スイッチを操作する復旧用押しボタン部とを設けたものである。
【０００７】
また、上記の非常用押しボタン部と復旧用押しボタン部とを一体に構成して押しボタンを形成し、該押しボタンをその長手方向のほぼ中央部を支持する支持手段によって揺動するシーソー型とした。
また、本体と前記復旧用押しボタン部との間に、該復旧用押しボタン部を復帰させる復帰手段を設けた。
【発明の効果】
【０００８】
本発明は、非常信号を出力する非常用スイッチと、この非常用スイッチを操作する非常用押しボタン部とを有する防災機器において、非常信号をＯＦＦさせる復旧用スイッチと、この復旧用スイッチを操作する復旧用押しボタン部とを設けたので、非常の際に非常用スイッチを押し続けなくてすみ、非常用スイッチの破損を防止することができ、信頼性の高い防災機器を得ることができる。
【０００９】
また、押しボタンを、そのほぼ中央部を支持する支持手段によって揺動するシーソー型としたので、非常用押しボタン部を押したときに押しボタンが斜めに傾斜して復旧用押しボタン部が本体部から突出した状態で保持されるため、非常用押しボタン部を押したことが、一目で確認できる。
また、本体と復旧押しボタン部との間に復旧手段を設けたので、押しボタンを確実に復旧することができ、かつ、押しボタンをカバーの前面とほぼ同一平面上に保持することができる。
【発明を実施するための最良の形態】
【００１０】
図１は本発明の一実施の形態に係る住宅情報盤の斜視図である。
図において、１はベース２とカバー３からなる住宅情報盤で、カバー３の中央部の上下方向には、モニター５、スピーカ６、通話用ボタン７が設けられており、モニター５の両側には各種操作用の押しボタン８が設けられている。９は例えば、合成樹脂からなり、カバー３の上部に設けた切除部４に着脱可能に装着されたスイッチ用カバー（以下、本体という）で、押しボタン３０を有する非常用スイッチ装置１０が設けられている。
【００１１】
図２は押しボタン３０を取外した状態を示す非常用スイッチ装置１０の平面斜視図、図３は押しボタン３０の下面斜視図、図４は非常用スイッチ装置１０の縦断面図（図２のＡ−Ａ断面に対応）である。
１１は本体９に設けた非常用スイッチ装置１０を構成する凹部で、短手側の一方の側壁（図の左側で、以下単に左側という）にはストッパを形成する段部１２が設けられており、他方の側壁（図の右側で、以下単に右側という）には開口部１３が形成されている。１４は長手側の両側壁のほぼ中央部から右側（後述の非常用押しボタン部３１側）において、開口部（凹部１１）の両側に外側に向って設けられた傾斜面であるが、これは傾斜面でなく、本体９と同じ面にしてもよい。
【００１２】
１６ａ，１６ｂは底部１５のほぼ中央部及び左側端部に設けた貫通孔で、図には四角形の場合が示してあるが、これに限定するものではない。１７ａ，１７ｂは貫通孔１６ａ，１６ｂの間において底部１５から突設された軸受部で、上面はほぼ半円状に形成されている。１８は両軸受部１７ａ，１７ｂの間において底部１５から立設された支持片で、上部の軸受部１７ａ，１７ｂ側はゆるやかな円弧状に形成されている。１９は貫通孔１６ｂの側方において底部１５から立設された受け部で、その左側上部には傾斜面が形成されている（図７参照）。
【００１３】
貫通孔１６ａから右側の底部１５ａは貫通孔１６ａと同じ幅で一段低く形成されており、その右端部には、側壁の開口部１３内に位置する保持片２１が立設されており、この保持片２１の上部には内側（開口部１３と反対側）に向って円弧状に膨出した保持部２２が設けられている。
【００１４】
押しボタン３０は合成樹脂からなり、本体９の凹部１１内に挿入しうる大きさに形成されており、長手方向の中央部よりやや左寄りの上面に長手方向と直交してリブ３３が設けられ、このリブ３３の一方の側（右側）には非常用押しボタン部３１が、また、他方の側（左側）には復旧用押しボタン部３２が形成されている。すなわち、押しボタン３０には、非常用押しボタン部３１と復旧用押しボタン部３２とが一体に構成されている。３４はリブ３３の近傍の下面（凹部１１の軸受部１７ａ，１７ｂ及び支持片１８に対応する位置）に垂下して先端部が断面円形に形成された回転軸で、軸受部１７ａ，１７ｂ及び支持片１８に回動可能に支持されて、支持手段を構成する。この支持手段は、押しボタン３０をその長手方向のほぼ中央部を支持しており、押しボタン３０はこの支持手段により左右に揺動するシーソー型となっている。
【００１５】
３５は非常用押しボタン部３１の右端部から垂下し、先端部の外側（右側）が円弧状に膨出した係止片で、その一部が底部１５ａの保持片２１の保持部２２に当接して、保持片２１とにより係止手段としての係止部を構成する。
３６は非常用押しボタン部３１の回転軸３４と係止片３５との間において下面に突設され、貫通孔１６ａから下方に突出した非常用スイッチ４０の操作部である。この操作部３６はカバー３の背面側に取付けた基板に設けた非常用スイッチ４０をＯＮ−ＯＦＦする。また、３７は復旧用押しボタン部３２の左端側において下面に突設され、貫通孔１６ｂから下方に突出した復旧用スイッチ４１の操作部である。この操作部３７はカバーの背面側に取付けた基板に設けた復旧用スイッチ４１をＯＮ−ＯＦＦする。なお、両操作部３６，３７は中空の場合を示したが、これに限定するものではない。
３８は操作部３７の側方において下面から垂下した復帰用の弾性片で、その先端部の側面（右側）は底部１５に設けた受け部１９の左側面（受け部１９の垂直面２０）に当接し、両者により復旧用押しボタン部３２を通常状態の位置に復帰させる復帰手段としての復帰部を構成する。
【００１６】
なお、非常信号を出力する非常用スイッチ４０と、非常信号をＯＦＦさせる復旧信号を出力する復旧用スイッチ４１とは、図示しない受信機と信号線を介して接続され、管理員のいる受信機側で、住戸で非常事態が発生したかがわかるようになっている。この非常用スイッチ４０は一度押されると、例えスイッチが押圧され続けなくても、非常信号の出力を保持し続け、復旧用スイッチ４１が押されると、非常信号の出力が停止するよう構成されている。
【００１７】
次に、図４を参照して、非常用スイッチ装置１０の組立手順の一例について説明する。
先ず、本体９の凹部１１上に押しボタン３０を位置させ、両操作部３６，３７を底部１５に設けた貫通孔１６ａ，１６ｂに挿入すると共に、支持片１８の上部を弾性変形させて回転軸３４を軸受部１７ａ，１７ｂの凹部内に位置させる。これにより、支持片１８の上部は元の状態に戻り、軸受部１７ａ，１７ｂと支持片１８とにより回転軸３４を回動可能に支持する。また、係止片３５はその一部が保持片２１の保持部２２に当接し、弾性片３８の下端部が受け部１９の垂直面２０に当接する。また、押しボタン３０の左端下面は、凹部１１の側壁に設けた段部１２と所定のすき間を隔てて対峙する。これにより、押しボタン３０の上面はほぼ水平に保持され、本体９の上面とほぼ同一平面上に位置する。
【００１８】
このようにして、非常用スイッチ装置１０が設けられた本体９は、カバー３の切除部４に装着され、取付けが完了する。なお、このとき、押しボタン３０の操作部３６，３７は、カバー３の背面側に取付けた基板（図示せず）に設けた非常用スイッチ４０と復旧用スイッチ４１にそれぞれ対向して位置する。
【００１９】
次に、本実施の形態に係る非常用スイッチ装置１０の作用について説明する。
非常事態が発生したときは、住居者は、図５に示すように、押しボタン３０の非常用押しボタン部３１を圧下し、押しボタン３０を軸受部１７ａ，１７ｂを中心として矢印ａ方向に回動させる。このとき、凹部１１の開口部に傾斜面１４を設けておき、この傾斜面１４に沿って非常用押しボタン部３１を圧下するようにすれば、暗いときなどでも非常用押しボタン部３１を容易かつ確実に操作することができる。
【００２０】
これにより、操作部３６が非常用スイッチ４０のアクチュエータを圧下してスイッチをＯＮし、管理員室の受信機に非常信号を出力し、非常の発生を報知する。なお、操作部３６の先端部を図のように斜めに形成しておけば、押しボタン３０が回動したときに先端がほぼ水平になり、非常用スイッチ４０のアクチュエータを確実に圧下することができる。
このとき、係止手段の保持片２１は弾性変形し、係止片３５は保持部２２の下面に係止し、押しボタン３０をその位置に保持する。
【００２１】
この場合、詳しくは後述するように、押しボタン３０は、非常用スイッチ４０に負荷をかけない位置までアクチュエータの反力によって押し戻されるため、非常用スイッチ４０に過度の力が継続してかかるのを防止できる。つまり、保持部２２の下部と保持片３５の上部が接した保持状態においては、操作部３６は非常用スイッチ４０を圧下しない位置にある。そして、非常用押しボタン部３１は、この保持状態より僅かに下方に動かされて、非常用スイッチ４０をＯＮする。
また、押しボタン３０が本体９の上面とほほ同一平面上に位置していても、非常用押しボタン部３１の周囲がくぼんだ状態になるので、非常用押しボタン部を押しやすい。
【００２２】
このように、保持片２１を弾性変形させて係止片３５と係止させる理由は、押しボタン３０を押した際の感触、クリック感をもたせるためである。また別の理由は、図５のように押しボタン３０を斜めに傾斜させ、本体９から押しボタン３０の復旧用押しボタン部３２を突出させた状態を保持することで、非常用押しボタン部３１が押されたことを一目でわかるようにするためである。
なお、非常用押しボタン部３１を押して、非常用スイッチ４０をＯＮした後、非常用押しボタン部３１は、非常用スイッチ４０のアクチュエータの反力によって押し戻される。このため、非常用スイッチ４０の操作部３６によって非常用スイッチ４０が押され続けることはなく、またそうなることのないように、係止部にはある程度遊びをもたせてあり、かつ非常用スイッチの操作部３６の長さが調整されている。
【００２３】
ある時間経過して非常事態がなくなったときは、押しボタン３０の復旧用押しボタン部３２を圧下する。これにより図６に示すように、押しボタン３０は軸受部１７ａ，１７ｂを中心として矢印ｂ方向に回動し、押しボタン３０の左端部が凹部１１の側壁に設けた段部１２に当接して一旦停止する。
こうして、操作部３７が復旧用スイッチ４１のアクチュエータを圧下して非常信号をＯＦＦし、管理員室の受信機に復旧信号を出力する。このとき、保持片２１は弾性変形して係止片３５は保持部２２から離脱し、また、弾性片３８は弾性変形しつつ受け部１９の垂直面２０に沿って下降し、図７に示すように、受け部１９の左側側面に圧接される。
【００２４】
復旧用押しボタン部３２から手を離すと、押しボタン３０は弾性片３８の弾性によって反矢印ｂ方向に自動的に回動し、係止片３５の一部が保持片２１の保持部２２に当接して停止し、押しボタン３０は図４に示すように元の状態に戻り、操作部３７は復旧用スイッチ４１のアクチュエータから離れて復旧信号をＯＦＦする。また、弾性片３８も元の状態に戻る。このように弾性片３８によって、通常状態では、押しボタン３０をカバー３の前面から突出することなく、ほぼ同一平面上に保持することができる。
【００２５】
上記の説明では、底部１５に設けた軸受部１７ａ，１７ｂと支持片１８とにより回転軸３４を支持して、押しボタン３０をシーソー状に回動させる場合を示したが、押しボタン３０の支持手段はこれに限定するものではなく、例えば、支持片１８を省略してもよく、あるいは軸受部及び必要に応じて支持片を押しボタン３０に設け、回転軸を凹部１１側に設けるなど、適宜の構造としてもよい。また、押しボタン３０に非常用押しボタン部３１と復旧用押しボタン部３２とを一体に設けた場合を示したが、それぞれを別体にして２つの押しボタン部を設けるようにしてもよい。
【００２６】
また、凹部１１の底部１５ａに設けた保持部２２を有する保持片２１と、押しボタン３０の右端に設けた係止片３５とにより係止手段を構成した場合を示したが、両者の関係を逆の配置にしてもよく、また、回動した押しボタン３０を保持し、かつ離脱や係止が容易かつ確実であれば、他の構造のものを用いてもよい。
さらに、凹部１１の底部１５に設けた受け部１９と押しボタン３０に設けた弾性片３８とにより復帰手段を形成した場合を示したが、例えば、底部１５と押しボタン３０との間にコイルばねや板ばねなどの弾性体を介装するなど、適宜変更することもできる。
また、上記の説明では、本発明に係る非常用スイッチ装置１０を住宅情報盤１に実施した場合を示したが、他の防災機器にも実施することができる。
【００２７】
本発明は、防災機器の非常用スイッチ装置１０に、非常用スイッチ４０と復旧用スイッチ４１とを設け、非常用スイッチ４０をＯＮしたのち復旧用スイッチ４１をＯＮすることにより、非常用スイッチ４０のＯＦＦを確実に確認するようにしたので、非常用スイッチ４０を押し続けなくてすみ、非常スイッチの破損を防止することができ、信頼性の高い防災機器を得ることができる。
また、押しボタン３０をケース３の前面から突出することなくほぼ同一平面上に位置させるようにしたので、見栄えがよく、意匠的にすぐれた防災機器が得られる。
【図面の簡単な説明】
【００２８】
【図１】本発明の一実施の形態に係る住宅情報盤の斜視図である。
【図２】押しボタンを取外した状態を示す非常用スイッチ装置の平面斜視図である。
【図３】押しボタンの下面斜視図である。
【図４】非常用スイッチ装置の縦断面図である（図２のＡ−Ａ断面）。
【図５】非常用スイッチ装置の作用説明図である。
【図６】非常用スイッチ装置の作用説明図である。
【図７】非常用スイッチ装置の作用説明図である（図２のＢ−Ｂ断面）。
【符号の説明】
【００２９】
１  住宅情報盤、９  スイッチ用カバー（本体）、１０  非常用スイッチ装置、１１  凹部、１５  底部、１６ａ，１６ｂ  貫通孔、１７ａ，７１ｂ  軸受部、１９  受け部、２１  保持片、３０  押しボタン、３１  非常用押しボタン部、３２  復旧用押しボタン部、３４  回転軸、３５  係止片、３６  非常用スイッチの操作部、３７  復旧用スイッチの操作部、３８  弾性片、４０  非常用スイッチ、４１  復旧用スイッチ。
【図１】
2005235602.tif 000003
【図２】
2005235602.tif 000004
【図３】
2005235602.tif 000005
【図４】
2005235602.tif 000006
【図５】
2005235602.tif 000007
【図６】
2005235602.tif 000008
【図７】
2005235602.tif 000009